(57)【要約】【課題】粘着テープを使用することなく切り花を固定可能な切り花包装ケースを提供する。【解決手段】切り花包装ケース１００は、本体１１０、少なくとも１つの載置板１２０、および蓋板１３０を備える。載置板１２０は、本体１１０に収容され、上表面１２１と下表面１２２を有し、上表面１２１には切り花を設置可能な切り花設置エリア１２５が複数設けられている。各切り花設置エリア１２５は、切り花の花を載置可能な少なくとも１つの花載置エリア１２５ａと、切り花の茎部を差し込み可能な少なくとも１つの茎部差込孔１２５ｂを有する。茎部差込孔１２５ｂは、載置板１２０の上表面１２１と下表面１２２とを貫通している。載置板１２０と底板１１１との間には、切り花の茎部を収納可能な茎部収納スペースが形成されている。【選択図】  図２
0003163912.tif 000002
【実用新案登録請求の範囲】
【請求項１】
底板、および当該底板を囲む側板を有する本体と、
当該本体に収容され、上表面および下表面を有し、前記上表面に切り花を設置可能な切り花設置エリアが複数設けられた少なくとも１つの載置板と、
前記本体および前記載置板を覆うことが可能な蓋板と、
を備え、
前記載置板の前記切り花設置エリアは、切り花の花を載置可能な少なくとも１つの花載置エリアと、切り花の茎部を差し込み可能な少なくとも１つの茎部差込孔とを有し、
前記茎部差込孔は、前記載置板の前記花載置エリアに近隣する位置に、前記上表面から前記下表面までを貫通する孔として形成され、
前記載置板の前記茎部差込孔と前記本体の前記底板との間には、切り花の茎部を収納可能な茎部収納スペースが形成されることを特徴とする切り花包装ケース。
【請求項２】
前記載置板は２つの長側辺と２つの短側辺を有し、前記茎部差込孔は長側辺に延びて形成されていることを特徴とする請求項１に記載の切り花包装ケース。
【請求項３】
更に少なくとも１つの保護パッドを備え、当該保護パッドは前記載置板の前記茎部差込孔を覆うことを特徴とする請求項１または２に記載の切り花包装ケース。
【考案の詳細な説明】
【技術分野】
【０００１】
本考案は、切り花包装ケースに関する。
【背景技術】
【０００２】
図１に示すように、一般の輸送に際して、切り花は、切り花包装ケース４００の中に収納されており、輸送中の衝撃を無くすため粘着テープ２０で花の茎部を貼り付けることにより固定されている。従来の切り花包装ケース４００は、１つの本体４１０、少なくとも１つの載置板４２０、及び１つの蓋板４３０により構成される。本体４１０は１つの底板４１１と底板４１１を囲む側板４１２を有し、載置板４２０は側板４１２に固定する複数の固定部４２１を有する。蓋板４３０は本体４１０と載置板４２０を覆っている。図１に示すように、複数の切り花１０は載置板４２０上に収納され、切り花１０群の複数の茎部１２は粘着テープ２０により載置板４２０に貼り付けられ固定される。
【考案の開示】
【考案が解決しようとする課題】
【０００３】
しかしながら、切り花１０群の茎部１２に貼り付けた粘着テープ２０を取り除く際に、切り花１０群の茎部１２は損傷し易くなる。これにより、外観上に傷が出る、或いは切り花の寿命が短くなる等の問題が生じるため、消費者の購買意欲の低下および花の値段に影響が出ることが懸念される。
【０００４】
本考案は、粘着テープを使用することなく切り花を固定可能な切り花包装ケースを提供する事を目的とする。
【課題を解決するための手段】
【０００５】
本考案切り花包装ケースは、本体と、少なくとも１つの載置板と、蓋板とを備える。
本体は、底板、および底板を囲む側板を有する。蓋板は本体、および載置板を覆っている。
【０００６】
載置板は、上表面および下表面を有する。上表面には、複数の切り花設置エリアが設けられている。各切り花設置エリアは、少なくとも１つの花載置エリアと少なくとも１つの茎部差込孔を有する。茎部差込孔は花載置エリアに近隣すれば望ましい、かつ上表面と下表面とを貫通する。載置板は本体の内に設置され、底板との間に１つの茎部収納スペースが形成される。
【０００７】
載置板は花載置エリアと茎部差込孔群を有すると共に、底板との間に茎部収納スペースが形成された構成からなり、複数の切り花は本体に収納される際に、切り花群の茎部を茎部差込孔に差し込んで茎部収納スペースに収納することができ、かつ花群を花載置エリアに載置することができる。
【０００８】
（考案の効果）
切り花群は、固定効果を得て、輸送中の衝撃による傷等を防止できる。さらに、切り花群は、粘着テープで茎部を貼り付けることによる損傷を回避することができる。
このように、本考案は、一種の切り花包装ケースに関し、特に粘着テープを使用せず切り花の固定ができる切り花包装ケースに関するものである。
【図面の簡単な説明】
【０００９】
【図１】従来の切り花包装ケースを示す斜視図である。
【図２】本考案の第１実施例の切り花包装ケースの分解斜視図である。
【図３】本考案の第１実施例の切り花包装ケースの使用状態を示す斜視図である。
【図４】本考案の第１実施例の切り花包装ケースの使用状態を示す断面図である。
【図５Ａ】載置板の上表面に保護パッドを設置した本考案の第２実施例の切り花包装ケースの分解斜視図である。
【図５Ｂ】載置板の下表面に保護パッドを設置した本考案の第２実施例の切り花包装ケースの分解斜視図である。
【図６】本考案の第３実施例の切り花包装ケースの分解斜視図である。
【図７】本考案の第３実施例の切り花包装ケースの使用状態を示す斜視図である。
【図８】本考案の第４実施例の切り花包装ケースの分解斜視図である。
【図９】本考案の第５実施例の切り花包装ケースの分解斜視図である。
【考案を実施するための形態】
【００１０】
以下、本考案を図面に基づいて説明する。
（第１実施例）
図２、図３及び図４に、本考案の切り花包装ケース１００の第１実施例を示す。切り花包装ケース１００は、１つの本体１１０と、少なくとも１つの載置板１２０と、１つの蓋板１３０とを備える。
本体１１０は、底板１１１、および底板１１１を囲む側板１１２を有する。
【００１１】
載置板１２０は、１つの上表面１２１、１つの下表面１２２、２つの長側辺１２３及び２つの短側辺１２４を有する。上表面１２１は複数の切り花設置エリア１２５を有し、各切り花設置エリア１２５は少なくとも１つの花載置エリア１２５ａと少なくとも１つの茎部差込孔１２５ｂを有し、茎部差込孔１２５ｂは花載置エリア１２５ａに近隣することが望ましい。ここで、茎部差込孔１２５ｂは、上表面１２１と下表面１２２とを貫通している。
【００１２】
また、載置板１２０は、本体１１０の内に設置され、底板１１１との間に茎部収納スペース１４０が形成される（図３参照）。
【００１３】
本実施例において、載置板１２０は、２つの長側辺１２３から延びて形成した２つの縦仕切り板１２６を有し、縦仕切り板１２６は、載置板１２０と底板１１１との間に設置されて側板１１２に近隣し、また、側板１１２に固定されることができる。
蓋板１３０は本体１１０と載置板１２０を覆っている。
【００１４】
また、図３と図４に示すように、各切り花１０は１つの花１１と花１１に連結する１つの茎部１２を含む。複数の切り花１０は本体１１０に収納される際に、各茎部１２を各茎部差込孔１２５ｂに差し込んで載置板１２０と底板１１１との間に形成した茎部収納スペース１４０に放置することができ、かつ各花１１を花載置エリア１２５ａに放置することができること等により、切り花１０群を固定することができる。
【００１５】
本実施例において、縦仕切り板１２６は、載置板１２０と底板１１１との間に設置されて側板１１２に近隣すれば望ましい、よって、茎部１２は載置板１２０からの圧縮を受けて傷むのを防止することができる。
【００１６】
以下の複数の実施例において、第１実施例の構成要素と対応する構成要素については、第１実施例と同様の符号を付し、関連する説明を省略する。
（第２実施例）
本実施例において、図５Ａと図５Ｂに示すように、切り花包装ケース１００は更に少なくとも１つの保護パッド１５０を備える。保護パッド１５０は、載置板１２０の茎部差込孔１２５ｂ群を覆っている。
【００１７】
本実施例において、保護パッド１５０は、載置板１２０の上表面１２１を覆うことができ（図５Ａ参照）、かつ茎部差込孔１２５ｂ群と対応する複数の差込孔１５１を有する。或いは、本実施例において、保護パッド１５０は載置板１２０の下表面１２２を覆うことができ（図５Ｂ参照）る。これにより、保護パッド１５０は切り花１０群を保護することになる。
【００１８】
（第３実施例）
図６と図７に示すように、本考案の第３実施例において、切り花包装ケース１００の載置板１２０の茎部差込孔１２５ｂ群は、長側辺１２３或いは短側辺１２４に延びるように形成することができる。
【００１９】
本実施例において、茎部差込孔１２５ｂ群は長側辺１２３或いは縦仕切り板１２６に延びて形成することにより、切り花１０群の茎部１２を載置板１２０の長側辺１２３から茎部収納スペース１４０に直接放置させることができるので、花１１の保護及び茎部１２の固定にとって優れる効果に達する。
【００２０】
（第４実施例）
図８に示すように、本考案の第４実施例において、切り花包装ケース２００は、本体２１０と、少なくとも１つの載置板２２０と、複数のバックアップ部材２３０と、蓋板１３０とを備える。
【００２１】
バックアップ部材２３０群は、本体２１０の１つの底板２１１と載置板２２０との間に設置されて載置板２２０を支持する。
【００２２】
（第５実施例）
図９に示すように、本考案の第５実施例において、切り花包装ケース３００は、本体３１０と、少なくとも１つの載置板３２０と蓋板３３０とを備える。
【００２３】
本実施例において、載置板３２０の複数の茎部差込孔３２１は、それぞれ１つの差込部３２１ａ及び差込部３２１ａと連結する１つのネック支持部３２１ｂを有する。これにより、切り花１０群の茎部１２は挿入され固定される。
【００２４】
以上、本考案をその好適な実施例に基づいて説明したが、本考案の保護範囲は実用新案登録請求の範囲に限定されるものであり、この保護範囲を基準として、本考案の精神と範囲内に触れるどんな変更や修正も本考案の保護範囲に属する。
【符号の説明】
【００２５】
１０      ・・・  切り花
１１      ・・・  花
１２      ・・・  茎部
１００    ・・・  切り花包装ケース
１１０    ・・・  本体
１１１    ・・・  底板
１１２    ・・・  側板
１２０    ・・・  載置板
１２１    ・・・  上表面
１２２    ・・・  下表面
１２５    ・・・  花設置エリア
１２５ａ  ・・・  花載置エリア
１２５ｂ  ・・・  茎部差込孔
１３０    ・・・  蓋板
１４０    ・・・  茎部収納スペース
２００    ・・・  切り花包装ケース
２１０    ・・・  本体
２１１    ・・・  底板
２２０    ・・・  載置板
２４０    ・・・  蓋板
３００    ・・・  切り花包装ケース
３１０    ・・・  本体
３２０    ・・・  載置板
３２１    ・・・  茎部差込孔
３２１ａ  ・・・  差込部
３２１ｂ  ・・・  ネック支持部
３３０    ・・・  蓋板
４００    ・・・  切り花包装ケース
４１０    ・・・  本体
４１１    ・・・  底板
４１２    ・・・  側板
４２０    ・・・  載置板
４２１    ・・・  固定部
４３０    ・・・  蓋板
【図１】
0003163912.tif 000003
【図２】
0003163912.tif 000004
【図３】
0003163912.tif 000005
【図４】
0003163912.tif 000006
【図５Ａ】
0003163912.tif 000007
【図５Ｂ】
0003163912.tif 000008
【図６】
0003163912.tif 000009
【図７】
0003163912.tif 000010
【図８】
0003163912.tif 000011
【図９】
0003163912.tif 000012